(57)【要約】【課題】駆動源や案内軸に負担がかかるのを抑制しながら、光ピックアップの振動を抑制するとともに、発熱部品の熱を放熱することが可能な光ピックアップを提供する。【解決手段】この光ピックアップ５０は、主軸３と副軸４とに跨って主軸３によって走行が案内される光ピックアップ本体部１１と、光ピックアップ本体部１１に設けられ、副軸４を軸方向に移動可能に支持する副軸受部１５と、光ピックアップ本体部１１に取り付けられた発熱部品からの熱を放熱する放熱板１８と、光ピックアップ本体部１１に取り付けられ、副軸４に点接触するように押圧されることにより光ピックアップ本体部１１の振動を抑制する機能と、放熱板１８に当接して発熱部品からの熱を放熱する機能とを有する板状のバネ部材１６とを備える。【選択図】図４
0003127969.tif 000002
【実用新案登録請求の範囲】
【請求項１】
主軸と副軸とに跨って前記主軸によって走行が案内される光ピックアップ本体部と、前記光ピックアップ本体部に設けられ、前記副軸を軸方向に移動可能に支持する副軸受部と、前記光ピックアップ本体部に取り付けられた発熱部品からの熱を放熱する放熱板と、前記光ピックアップ本体部に取り付けられ、前記副軸に押圧されることにより前記光ピックアップ本体部の振動を抑制するバネ部材とを備えた光ピックアップにおいて、
前記バネ部材は、板状に形成され、前記副軸に点接触するように押圧されるとともに、前記放熱板に当接して前記発熱部品からの熱を放熱する機能を有し、
前記バネ部材は、前記光ピックアップ本体部に取り付けられるネジ止め部と、前記副軸に当接する円弧状の副軸当接部を有するバネとして機能するバネ部と、前記放熱板に当接する放熱板当接部とを含み、
前記バネ部は、前記ネジ止め部と前記副軸当接部とを結ぶ線分に対して平面的に見て実質的に対称な形状に形成され、
前記ネジ止め部は、前記バネ部と前記放熱板当接部との間に配置され、
前記バネ部は、平面的に見て湾曲した第１バネ部と、前記副軸当接部が設けられ、前記第１バネ部から折り曲げられて形成される第２バネ部とを有する、光ピックアップ。
【請求項２】
主軸と副軸とに跨って前記主軸によって走行が案内される光ピックアップ本体部と、
前記光ピックアップ本体部に設けられ、前記副軸を軸方向に移動可能に支持する副軸受部と、
前記光ピックアップ本体部に取り付けられた発熱部品からの熱を放熱する放熱板と、
前記光ピックアップ本体部に取り付けられ、前記副軸に点接触するように押圧されることにより前記光ピックアップ本体部の振動を抑制する機能と、前記放熱板に当接して前記発熱部品からの熱を放熱する機能とを有する板状のバネ部材とを備える、光ピックアップ。
【請求項３】
前記バネ部材は、前記光ピックアップ本体部に取り付けられるネジ止め部と、前記副軸に当接する副軸当接部を有するバネとして機能するバネ部とを含み、
前記バネ部は、前記ネジ止め部と前記副軸当接部とを結ぶ線分に対して平面的に見て実質的に対称な形状に形成されている、請求項２に記載の光ピックアップ。
【請求項４】
前記副軸当接部は、円弧状に形成されている、請求項３に記載の光ピックアップ。
【請求項５】
前記バネ部材は、前記光ピックアップ本体部に取り付けられるネジ止め部と、前記副軸に当接する副軸当接部を有するバネとして機能するバネ部と、前記放熱板に当接する放熱板当接部とを含み、
前記ネジ止め部は、前記バネ部と前記放熱板当接部との間に配置されている、請求項２〜４のいずれか１項に記載の光ピックアップ。
【請求項６】
前記バネ部は、平面的に見て湾曲した第１バネ部と、前記副軸当接部が設けられ、前記第１バネ部から折り曲げられて形成される第２バネ部とを有する、請求項５に記載の光ピックアップ。
【考案の詳細な説明】
【技術分野】
【０００１】
本考案は、光ピックアップに関し、特に、光ピックアップの微小振動を抑制するとともに、発熱部品の熱を放熱する機能を有するバネ部材を備えた光ピックアップに関する。
【背景技術】
【０００２】
従来、光ピックアップの微小振動を抑制するバネ部材を備えた光ピックアップや、発熱部品の熱を放熱する機能を有するバネ部材を備えた光ピックアップが知られている（たとえば特許文献１〜４参照）。上記特許文献１に開示された光ピックアップでは、光ピックアップ本体部に板状のバネ部材からなる放熱部材が取り付けられ、半導体レーザを含む発熱部品の熱を、光ピックアップ本体部を移送する２本の丸軸状の案内軸のそれぞれに放熱部材を介して放熱するとともに、この板状のバネ部材からなる放熱部材の撓み変形による弾性力によって丸軸状の案内軸の外周面を押圧することにより光ピックアップ本体部の振動を抑制している。また、板状のバネ部材からなる放熱部材と丸軸状の案内軸とは、線接触している。
【０００３】
また、上記特許文献２および３に開示された光ピックアップでは、リードスクリューシャフトと、光ピックアップ本体部に設けられた板バネからなるリードスクリューシャフト係合部材とを備えている。このリードスクリューシャフト係合部材のリードスクリューシャフトと係合する部分にはラックが設けられており、このラックとリードスクリューシャフトの螺旋状の溝部とが板バネの弾性力によって噛み合っている。なお、ラックとリードスクリューシャフトの螺旋状の溝部とは、線接触している。また、リードスクリューシャフトが回転することにより、光ピックアップ本体部が移送されるとともに、板バネの撓み変形による弾性力によってリードスクリューシャフトを押圧することにより、光ピックアップ本体部の移送時に光ピックアップが振動することを抑制している。なお、リードスクリューシャフト係合部材は、発熱部品とは当接していない。
【０００４】
また、上記特許文献４に開示された光ピックアップでは、金属板により形成された放熱板を備え、この放熱板には、バネ性を有する複数の支持アームと光ピックアップ本体部を移送する案内軸受に圧接される圧接片とが形成されている。この複数の支持アームは、発熱部品に当接しているので、発熱部品から発せられる熱は、支持アーム、金属板および圧接片を介して案内軸受に放熱される。また、この圧接片は、案内軸に対しては接触していない。
【０００５】
【特許文献１】特開２００４−１４５９２１号公報
【特許文献２】特開２００４−５５０７８号公報
【特許文献３】特開平１０−２２２８４８号公報
【特許文献４】特開２００３−１７３５５８号公報
【考案の開示】
【考案が解決しようとする課題】
【０００６】
しかしながら、上記特許文献１に記載の光ピックアップでは、板状のバネ部材からなる放熱部材と丸軸状の案内軸とが線接触しているので、放熱部材と案内軸との摩擦が大きくなるという不都合がある。このため、案内軸および光ピックアップ本体部を移送する駆動源に負担がかかるという問題点がある。
【０００７】
また、上記特許文献２および３に開示された光ピックアップでは、リードスクリューシャフトとラックとは線接触しているので、リードスクリューシャフトとラックとの摩擦が大きくなる。このため、リードスクリューシャフト、ラックおよび光ピックアップ本体部を移送する駆動源に負担がかかるという問題点がある。また、リードスクリューシャフト係合部材は、発熱部品とは当接していないので、リードスクリューシャフト係合部材を介して放熱できないという問題点がある。
【０００８】
また、上記特許文献４に開示された光ピックアップでは、金属板により形成された放熱板には、熱を案内軸受に放熱するための圧接片は、案内軸受に圧接されている一方、案内軸に対しては接触していないので、案内軸の振動を抑制する効果はないという問題点がある。
【０００９】
この考案は、上記のような課題を解決するためになされたものであり、この考案の１つの目的は、駆動源や案内軸に負担がかかるのを抑制しながら、光ピックアップの振動を抑制するとともに、発熱部品の熱を放熱することが可能な光ピックアップを提供することである。
【課題を解決するための手段および考案の効果】
【００１０】
この考案の第１の局面による光ピックアップは、主軸と副軸とに跨って主軸によって走行が案内される光ピックアップ本体部と、光ピックアップ本体部に設けられ、副軸を軸方向に移動可能に支持する副軸受部と、光ピックアップ本体部に取り付けられた発熱部品からの熱を放熱する放熱板と、光ピックアップ本体部に取り付けられ、副軸に押圧されることにより光ピックアップ本体部の振動を抑制するバネ部材とを備えた光ピックアップにおいて、バネ部材は、板状に形成され、副軸に点接触するように押圧されるとともに、放熱板に当接して発熱部品からの熱を放熱する機能を有し、バネ部材は、光ピックアップ本体部に取り付けられるネジ止め部と、副軸に当接する円弧状の副軸当接部を有するバネとして機能するバネ部と、放熱板に当接する放熱板当接部とを含み、バネ部は、ネジ止め部と副軸当接部とを結ぶ線分に対して平面的に見て実質的に対称な形状に形成され、ネジ止め部は、バネ部と放熱板当接部との間に配置され、バネ部は、平面的に見て湾曲した第１バネ部と、副軸当接部が設けられ、第１バネ部から折り曲げられて形成される第２バネ部とを有する。
【００１１】
この第１の局面による光ピックアップでは、上記のように、光ピックアップ本体部に取り付けられたバネ部材を、副軸に押圧されることにより光ピックアップ本体部の振動を抑制するように構成することによって、光ピックアップ本体部の振動がバネ部材に吸収されるので、光ピックアップ本体部の振動を抑制することができる。また、バネ部材を副軸に点接触するように構成することによって、バネ部材と副軸とが線接触する場合に比べて、バネ部材と副軸との摩擦が少なくなるので、副軸および光ピックアップ本体部を移送する駆動源に負担がかかるのを抑制することができる。また、バネ部材を、放熱板に当接して発熱部品からの熱を放熱する機能を有するように構成することによって、放熱板およびバネ部材の両方により、発熱部品からの熱を放熱することができるので、放熱特性をより向上させることができる。また、バネ部材のバネとして機能するバネ部を、光ピックアップ本体部に取り付けるためのネジ止め部と、副軸に当接する副軸当接部とを結ぶ線分に対して平面的に見て実質的に対称な形状に形成することにより、バネ部材をピックアップ本体部にネジ止めしたときに、バネ部材のバネとして機能するバネ部に対して副軸からかかる負荷（応力）が、ネジ止め部と副軸当接部とを結ぶ線分に対して平面的に見て対称にかかるので、ネジ止め部と副軸当接部とを結ぶ線分に対して副軸が直交する方向に延びる場合に、光ピックアップ本体部が副軸に沿ってＤＶＤなどの記録媒体の外周方向に進む場合と内周方向に進む場合とでバネ部材にかかる負荷の差を小さくすることができる。これにより、光ピックアップ本体部を移送するとき、ＤＶＤなどの記録媒体の外周方向に進む場合と内周方向に進む場合との光ピックアップ本体部の速度の差を小さくすることができる。また、副軸当接部を円弧状に形成することにより、副軸と副軸当接部とを容易に点接触させることができるので、容易に、バネ部材と副軸との摩擦を少なくすることができる。これにより、副軸および光ピックアップ本体部を移送する駆動源に負担がかかるのを容易に抑制することができる。また、バネ部材を、副軸当接部を含むバネとして機能するバネ部を含み、ネジ止め部を、バネ部と放熱板当接部との間に配置することによって、ネジ止め部により、バネ部材がバネ部と放熱板当接部との間で実質的に分離されるので、副軸からの負荷をバネ部のみで受けることができる。これにより、バネ部は、副軸からバネ部材にかかる負荷を、ネジ止め部と副軸当接部とを結ぶ線分に対して平面的に見て対称に受けることができる。また、バネ部を、平面的に見て湾曲した第１バネ部と、副軸当接部が設けられ、第１バネ部から折り曲げられて形成される第２バネ部とを有するように構成することによって、副軸からの負荷を湾曲した第１バネ部と折り曲げられた第２バネ部との両方で受けることができるので、バネ部のたわみ代を大きくすることができる。また、第１バネ部を湾曲させることによって、よりたわみ代を大きくすることができる。これにより、副軸にかかる荷重を小さくすることができるので、副軸および光ピックアップ本体部を移送する駆動源に負担がかかるのをより抑制することができる。また、第１バネ部を湾曲させることによって、バネ部の表面積が大きくなるので、放熱効果をより高めることができる。
【００１２】
この考案の第２の局面における光ピックアップは、主軸と副軸とに跨って主軸によって走行が案内される光ピックアップ本体部と、光ピックアップ本体部に設けられ、副軸を軸方向に移動可能に支持する副軸受部と、光ピックアップ本体部に取り付けられた発熱部品からの熱を放熱する放熱板と、光ピックアップ本体部に取り付けられ、副軸に点接触するように押圧されることにより光ピックアップ本体部の振動を抑制する機能と、放熱板に当接して発熱部品からの熱を放熱する機能とを有する板状のバネ部材とを備える。
【００１３】
この第２の局面による光ピックアップでは、上記のように、光ピックアップ本体部に取り付けられた板状のバネ部材を、副軸に押圧されることにより光ピックアップ本体部の振動を抑制する機能を有するように構成することによって、光ピックアップ本体部の振動がバネ部材に吸収されるので、光ピックアップ本体部の振動を抑制することができる。また、バネ部材を副軸に点接触するように構成することによって、バネ部材と副軸とが線接触する場合に比べて、バネ部材と副軸との摩擦が少なくなるので、副軸および光ピックアップ本体部を移送する駆動源に負担がかかるのを抑制することができる。また、バネ部材を、放熱板に当接して発熱部品からの熱を放熱する機能を有するように構成することによって、放熱板およびバネ部材の両方により、発熱部品からの熱を放熱することができるので、放熱特性をより向上させることができる。
【００１４】
上記第２の局面による光ピックアップにおいて、好ましくは、バネ部材は、光ピックアップ本体部に取り付けられるネジ止め部と、副軸に当接する副軸当接部を有するバネとして機能するバネ部とを含み、バネ部は、ネジ止め部と副軸当接部とを結ぶ線分に対して平面的に見て実質的に対称な形状に形成されている。このように構成すれば、バネ部材を光ピックアップ本体部にネジ止めしたときに、バネ部材のバネとして機能するバネ部に対して副軸からかかる負荷（応力）が、ネジ止め部と副軸当接部とを結ぶ線分に対して平面的に見て対称にかかるので、ネジ止め部と副軸当接部とを結ぶ線分に対して副軸が直交する方向に延びる場合に、光ピックアップ本体部が副軸に沿ってＤＶＤなどの記録媒体の外周方向に進む場合と内周方向に進む場合とでバネ部材にかかる負荷の差を小さくすることができる。これにより、光ピックアップ本体部を移送するとき、ＤＶＤなどの記録媒体の外周方向に進む場合と内周方向に進む場合との光ピックアップ本体部の速度の差を小さくすることができる。
【００１５】
上記第２の局面による光ピックアップにおいて、好ましくは、副軸当接部は、円弧状に形成されている。このように構成すれば、副軸と副軸当接部とを容易に点接触させることができるので、容易に、バネ部材と副軸との摩擦を少なくすることができる。これにより、副軸および光ピックアップ本体部を移送する駆動源に負担がかかるのを容易に抑制することができる。
【００１６】
上記第２の局面による光ピックアップにおいて、好ましくは、バネ部材は、光ピックアップ本体部に取り付けられるネジ止め部と、副軸に当接する副軸当接部を有するバネとして機能するバネ部と、放熱板に当接する放熱板当接部とを含み、ネジ止め部は、バネ部と放熱板当接部との間に配置されている。このように構成すれば、ネジ止め部により、バネ部材がバネ部と放熱板当接部との間で実質的に分離されるので、副軸からの負荷をバネ部のみで受けることができる。これにより、バネ部は、副軸からバネ部材にかかる負荷を、ネジ止め部と副軸当接部とを結ぶ線分に対して平面的に見て対称に受けることができる。
【００１７】
上記第２の局面による光ピックアップにおいて、好ましくは、バネ部は、平面的に見て湾曲した第１バネ部と、副軸当接部が設けられ、第１バネ部から折り曲げられて形成される第２バネ部とを有する。このように構成すれば、副軸からの負荷を湾曲した第１バネ部と折り曲げられた第２バネ部との両方で受けることができるので、バネ部のたわみ代を大きくすることができる。また、第１バネ部を湾曲させることによって、よりたわみ代を大きくすることができる。これにより、副軸にかかる荷重を小さくすることができるので、副軸および光ピックアップ本体部を移送する駆動源に負担がかかるのをより抑制することができる。また、第１バネ部を湾曲させることによって、バネ部の表面積が大きくなるので、放熱効果をより高めることができる。
【考案を実施するための最良の形態】
【００１８】
以下、本考案の実施形態を図面に基づいて説明する。
【００１９】
図１は、本考案の一実施形態による光ピックアップ本体部が収められるディスク装置の全体構成を示した斜視図である。図２は、本考案の一実施形態による光ピックアップ本体部が収納されるトラバースユニットの一方面側の構成を示した斜視図である。図３は、本考案の一実施形態による光ピックアップ本体部が収納されるトラバースユニットの他方面側の構成を示した斜視図である。図４は、本考案の一実施形態による光ピックアップ本体部の一方面側の構成を示した斜視図である。図５は、本考案の一実施形態による光ピックアップ本体部の他方面側の構成を示した斜視図である。図１〜図５を参照して、本実施形態による光ピックアップの構造について説明する。
【００２０】
本実施形態によるディスク装置１００では、図１に示すように、筐体１の内部に、樹脂からなる光ピックアップ本体部１１を含む光ピックアップ５０とＤＶＤなどの記録媒体を保持するトレイ６０とからなる、ローダー７０が収納されている。また、図２および図３に示すように、光ピックアップ５０の光ピックアップ本体部１１は、トラバースシャーシ２に設けられた、主軸３と副軸４との間に跨って走行が案内されるように配置されている。主軸３および副軸４は、約３ｍｍの直径を有する。
【００２１】
また、図４に示すように、光ピックアップ本体部１１は、位置決め用ボス部１２および１３と、主軸３に案内される主軸受部１４と、副軸４に案内される副軸受部１５とを備えている。主軸受部１４は、円形の孔部１４ａを有する筒状に形成されており、主軸３は、図４および図５に示すように、主軸受部１４の孔部１４ａを貫通するように配置されている。また、副軸受部１５は、Ｕ字形状に形成されており、副軸４の軸方向（Ｘ方向）に対して垂直な方向に開口するように配置されている。また、副軸４と副軸受部１５とは、副軸受部１５のＵ字形状の内周面１５ａで内接している。
【００２２】
また、図４に示すように、樹脂からなる光ピックアップ本体部１１には、ステンレスからなる板状のバネ部材１６がネジ１７により固定されている。このバネ部材１６は、バネ部材１６の撓み変形による弾性力によって副軸４をＺ方向に押圧するように構成されている。また、樹脂からなる光ピックアップ本体部１１には、放熱部１８ａ、１８ｂ、１８ｃ、１８ｄおよび１８ｅを有するＡｌからなる放熱板１８が設けられている。また、放熱板１８の下部には図示しない半導体レーザが配置されている。なお、半導体レーザは、発熱部品の一つである。
【００２３】
図６は、本考案の一実施形態によるバネ部材の斜視図である。図７は、本考案の一実施形態によるバネ部材の平面図である。図８は、本考案の一実施形態によるバネ部材と副軸との当接部分の副軸の軸方向と垂直方向の断面図である。図９は、本考案の一実施形態によるバネ部材と副軸との当接部分の副軸の軸方向に沿った断面図である。図１０は、本考案の一実施形態によるバネ部材と放熱板との当接部分の断面図である。図６〜図１０を参照して、本考案の一実施形態によるバネ部材について説明する。
【００２４】
ここで、本実施形態では、図６に示すように、バネ部材１６は、放熱板１８の放熱部１８ｅに当接する放熱板当接部１６ａと、バネとして機能するバネ部１６ｂと、バネ部１６ｂと放熱板当接部１６ａとの間に設けられたネジ止め部１６ｃと、位置決めのための孔部１６ｄおよび１６ｅとを含んでいる。バネ部材１６は、孔部１６ｄおよび１６ｅを、それぞれ、図４に示す、光ピックアップ本体部１１に設けられた位置決め用ボス部１２および１３にそれぞれ通すことにより位置決めされる。
【００２５】
また、本実施形態では、図６に示すように、バネ部１６ｂは、平面的に見て湾曲した第１バネ部１６１ｂと、第１バネ部１６１ｂから下方に折り曲げられさらに水平に折り曲げられて形成された第２バネ部１６２ｂとを有する。また、第２バネ部１６２ｂには、副軸４を押圧するための副軸当接部１６ｆが設けられている。この副軸当接部１６ｆは、副軸４の軸方向（図４のＸ方向）に対して垂直な方向（図４のＹ方向）に延びるとともに、副軸４の軸方向に沿った断面が円弧状に形成されている。また、第１バネ部１６１ｂは、孔部１６ｇを有するとともに、平面的に見て湾曲した環状に形成されている。また、第２バネ部１６２ｂの副軸当接部１６ｆが設けられていない垂直面には、四角形状の孔部１６ｈを有するように形成されている。また、図６に示された２点鎖線２００は、副軸４からの負荷をうけたときの、バネ部１６ｂのたわみ代を示している。
【００２６】
また、本実施形態では、図７に示すように、バネ部材１６は、ネジ止め部１６ｃが図４に示すネジ１７により光ピックアップ本体部１１に固定されたとき、実質的には２点鎖線４００を境界線としてバネとして機能するバネ部１６ｂと、放熱板当接部１６ａ、孔部１６ｄおよび孔部１６ｅを含む部分とに分離される。このとき、バネ部１６ｂは、ネジ止め部１６ｃと副軸当接部１６ｆとを結ぶ１点鎖線３００に対して平面的に見て実質的に対称な形状となる。また、図８および図９に示すように、副軸４と、バネ部材１６に設けられた副軸当接部１６ｆとは、点接触している。
【００２７】
また、本実施形態では、図４および図１０に示すように、バネ部材１６の放熱板当接部１６ａは、放熱板１８の放熱部１８ｅに対して面接触するように当接されている。
【００２８】
次に、図４および図６を参照して、本考案の一実施形態による光ピックアップ本体部１１の動作について説明する。
【００２９】
図４に示すように、図示しない駆動源によって、光ピックアップ本体部１１は、主軸受部１４の孔部１４ａを貫通している主軸３と、副軸受部１５の内周面１５ａに通された副軸４とに沿ってＸ方向に移送される。このとき、光ピックアップ本体部１１にネジ１７により取り付けられたバネ部材１６の副軸当接部１６ｆは、副軸４をＺ方向に押圧している。また、副軸４からバネ部材１６にかかる負荷は、図６に示すバネ部１６ｂにより受けられる。
【００３０】
本実施形態では、上記のように、光ピックアップ本体部１１に取り付けられた板状のバネ部材１６を、副軸４に押圧されることにより光ピックアップ本体部１１の振動を抑制する機能を有するように構成することによって、光ピックアップ本体部１１の振動がバネ部材１６に吸収されるので、光ピックアップ本体部１１の振動を抑制することができる。また、バネ部材１６を副軸４に点接触するように構成することによって、バネ部材１６と副軸４とが線接触する場合に比べて、バネ部材１６と副軸４との摩擦が少なくなるので、副軸４および光ピックアップ本体部１１を移送する駆動源に負担がかかるのを抑制することができる。また、バネ部材１６を、放熱板１８に当接して発熱部品からの熱を放熱する機能を有するように構成することによって、放熱板１８およびバネ部材１６の両方により、発熱部品からの熱を放熱することができるので、放熱特性をより向上させることができる。
【００３１】
また、本実施形態では、上記のように、バネ部材１６を、光ピックアップ本体部１１に取り付けられるネジ止め部１６ｃと、副軸４に当接する副軸当接部１６ｆを有するバネとして機能するバネ部１６ｂとを含み、バネ部１６ｂは、ネジ止め部１６ｃと副軸当接部１６ｆとを結ぶ１点鎖線３００に対して平面的に見て実質的に対称な形状に形成することによって、バネ部材１６を光ピックアップ本体部１１にネジ止めしたときに、バネ部材１６のバネとして機能するバネ部１６ｂに対して副軸４からかかる負荷（応力）が、ネジ止め部１６ｃと副軸当接部１６ｆとを結ぶ１点鎖線３００に対して平面的に見て対称にかかるので、ネジ止め部１６ｃと副軸当接部１６ｆとを結ぶ１点鎖線３００に対して副軸４が直交する方向（図４に示すＸ方向）に延びる場合に、光ピックアップ本体部１１が副軸４に沿ってＤＶＤなどの記録媒体の外周方向に進む場合と内周方向に進む場合とでバネ部材１６にかかる負荷の差を小さくすることができる。これにより、光ピックアップ本体部１１を移送するとき、ＤＶＤなどの記録媒体の外周方向に進む場合と内周方向に進む場合との光ピックアップ本体部１１の速度の差を小さくすることができる。
【００３２】
また、本実施形態では、上記のように、副軸当接部１６ｆを、円弧状に形成することによって、副軸４と副軸当接部１６ｆとを容易に点接触させることができるので、容易に、バネ部材１６と副軸４との摩擦を少なくすることができる。これにより、副軸４および光ピックアップ本体部１１を移送する駆動源に負担がかかるのを容易に抑制することができる。
【００３３】
また、本実施形態では、上記のように、バネ部材１６を、光ピックアップ本体部１１に取り付けられるネジ止め部１６ｃと、副軸４に当接する副軸当接部１６ｆを有するバネとして機能するバネ部１６ｂと、放熱板１８に当接する放熱板当接部１６ａとを含み、ネジ止め部１６ｃを、バネ部１６ｂと放熱板当接部１６ａとの間に配置することによって、バネ部材１６がバネ部１６ｂと放熱板当接部１６ａとの間（図７に示す２点鎖線４００）で実質的に分離されるので、副軸４からの負荷をバネ部１６ｂのみで受けることができる。これにより、バネ部１６ｂは、副軸４からバネ部材１６にかかる負荷を、ネジ止め部１６ｃと副軸当接部１６ｆとを結ぶ１点鎖線３００に対して平面的に見て対称に受けることができる。
【００３４】
また、本実施形態では、上記のように、バネ部１６ｂは、平面的に見て湾曲した第１バネ部１６１ｂと、第１バネ部１６１ｂから下方に折り曲げられさらに水平に折り曲げられて形成された第２バネ部１６２ｂとを有することによって、副軸４からの負荷を湾曲した第１バネ部１６１ｂと折り曲げられた第２バネ部１６２ｂとの両方で受けることができるので、バネ部１６ｂのたわみ代を大きくすることができる。また、第１バネ部１６１ｂを湾曲させることによって、よりたわみ代を大きくすることができる。これにより、副軸４にかかる荷重を小さくすることができるので、副軸４および光ピックアップ本体部１１を移送する駆動源に負担がかかるのをより抑制することができる。また、第１バネ部１６１ｂを湾曲させることによって、バネ部１６ｂの表面積が大きくなるので、放熱効果をより高めることができる。
【００３５】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３６】
たとえば、上記実施形態では、バネ部材は、全体として見ると非対称な形状に形成した例を示したが、本考案はこれに限らず、バネ部材を全体として対称な形状にしてもよい。
【００３７】
また、上記実施形態では、副軸当接部は、副軸と直交する方向に延びるようにとともに副軸に沿った方向の断面が円弧状になるように形成した例を示したが、本考案はこれに限らず、副軸当接部を半球状に形成してもよい。
【００３８】
また、上記実施形態では、Ａｌからなる放熱板を用いたが、本考案はこれに限らず、熱伝導率のよい部材であれば、Ａｌ以外の部材を用いても良い。
【図面の簡単な説明】
【００３９】
【図１】本考案の一実施形態による光ピックアップ本体部が収められるディスク装置の全体構成を示した斜視図である。
【図２】本考案の一実施形態による光ピックアップ本体部が収納されるトラバースユニットの一方面側の構成を示した斜視図である。
【図３】本考案の一実施形態による光ピックアップ本体部が収納されるトラバースユニットの他方面側の構成を示した斜視図である。
【図４】本考案の一実施形態による光ピックアップ本体部の一方面側の構成を示した斜視図である。
【図５】本考案の一実施形態による光ピックアップ本体部の他方面側の構成を示した斜視図である。
【図６】本考案の一実施形態によるバネ部材の斜視図である。
【図７】本考案の一実施形態によるバネ部材の平面図である。
【図８】本考案の一実施形態によるバネ部材と副軸との当接部分の副軸の軸方向と垂直方向の断面図である。
【図９】本考案の一実施形態によるバネ部材と副軸との当接部分の副軸の軸方向に沿った断面図である。
【図１０】本考案の一実施形態によるバネ部材と放熱板との当接部分の断面図である。
【符号の説明】
【００４０】
３  主軸
４  副軸
１１  光ピックアップ本体部
１４  主軸受部
１４ａ  孔部
１５  副軸受部
１５ａ  内周面
１６  バネ部材
１６ａ  放熱板当接部
１６ｂ  バネ部
１６ｃ  ネジ止め部
１６ｆ  副軸当接部
１８  放熱板
１８ａ、１８ｂ、１８ｃ、１８ｄ、１８ｅ  放熱部
１６１ｂ  第１バネ部
１６２ｂ  第２バネ部
【図１】
0003127969.tif 000003
【図２】
0003127969.tif 000004
【図３】
0003127969.tif 000005
【図４】
0003127969.tif 000006
【図５】
0003127969.tif 000007
【図６】
0003127969.tif 000008
【図７】
0003127969.tif 000009
【図８】
0003127969.tif 000010
【図９】
0003127969.tif 000011
【図１０】
0003127969.tif 000012